(57)【要約】【課題】タイルを破損することなく容易に目地に溝を形成することができる、タイル目地カッターを提供すること。【解決手段】貼付されたタイルの目地に溝を設けるためのタイル目地カッターであって、本体と、前記本体に付設可能なカッターと、からなり、前記本体は、カッター用定規と、前記カッター用定規に対して平行移動可能に取り付ける平行移動部と、前記平行移動部に前記カッターを付設するためのスライド部と、を有することを特徴とする、タイル目地カッター。【選択図】図１
2019100043.tif 000002
【特許請求の範囲】
【請求項１】
タイル貼付面に固定する固定部と、
前記固定部に取り付ける定規部と、からなり、
前記固定部は、
固定部本体と、
前記固定部本体の一方の端部に設ける固定刃と、
前記固定刃と対向する移動刃を有し、前記固定部本体の内側に配置する挟持体と、を有し、
前記固定刃と前記移動刃は略平行であり、
前記移動刃を有する前記挟持体が移動し、前記固定刃と前記移動刃との間隔を調整可能であることを特徴とする、カッター用定規。
【請求項２】
請求項１に記載のカッター用定規において、
前記固定部本体に取り付けるとともに、前記挟持体に螺合する回動ボルトを有し、
前記回動ボルトを回動することによって、前記移動刃を有する前記挟持体が移動することを特徴とする、カッター用定規。
【請求項３】
請求項１又は請求項２に記載のカッター用定規において、
前記挟持体はブロック状であり、
前記固定部は、前記固定部本体の一方の端部から他方の端部にかけて配置し、前記挟持体に挿通する支柱を有することを特徴とする、カッター用定規。
【請求項４】
請求項１乃至請求項３のいずれか一項に記載のカッター用定規において、
前記固定部本体は、前記定規部に形成した長孔状のボルト孔に挿通する固定ボルトを介して前記定規部に固定することを特徴とする、カッター用定規。
【請求項５】
貼付されたタイルの目地に溝を設けるためのタイル目地カッターであって、
本体と、前記本体に付設可能なカッターと、からなり、
前記本体は、
請求項１乃至請求項４のいずれか一項に記載のカッター用定規と、
前記カッター用定規に対して平行移動可能に取り付ける平行移動部と、
前記平行移動部に前記カッターを付設するためのスライド部と、を有することを特徴とする、タイル目地カッター。
【請求項６】
請求項５に記載のタイル目地カッターにおいて、
前記スライド部は、前記カッターを固定するカッター取付部を有し、
前記カッター取付部は、前記タイルの貼付面方向に移動可能に構成することを特徴とする、タイル目地カッター。
【請求項７】
請求項５又は請求項６に記載のタイル目地カッターにおいて、
前記スライド部は、前記平行移動部の一辺の側に前記カッターを付設するための第一スライド部と、
前記平行移動部の他辺の側に前記カッターを付設するための第二スライド部と、からなることを特徴とする、タイル目地カッター。
【請求項８】
請求項５乃至請求項７のいずれか一項に記載のタイル目地カッターにおいて、
前記カッターは、
回転刃を有するカッター本体と、
前記回転刃の、前記カッター本体側の上面と前記カッター本体の側面と、を覆う取付治具と、
前記取付治具の先端に取り付けて、前記回転刃の先端上面と先端側面と、を覆う先端カバーと、からなり、
前記先端カバーは、前記取付治具に対して移動可能に構成することを特徴とする、タイル目地カッター。
【発明の詳細な説明】
【技術分野】
【０００１】
本発明は、構造物の壁面や床面等に貼付されたタイルの目地に溝を形成するために用いるカッター用定規およびタイル目地カッターに関するものである。
【背景技術】
【０００２】
従来、建物の外壁面や内壁面、床面などをタイルにより仕上げることが行われてきた。
建物の耐震化や増改築を行う際には、歴史的・文化的に価値のある建物の場合は特に、新しいタイルでは既存の風合いや色を維持することが困難であり、デザインを継承するためにも既存のタイルを再利用することが好ましい。
そのためには、既存のタイルを破損することなく貼付された面から剥がす必要がある。
【０００３】
特許文献１には、既存のタイルを剥離するのに優れたタイル剥離装置が記載されている。
このタイル剥離装置は、タイルの上下の目地に溝を形成し、その溝にクランプ刃を挿入してタイルを接着層ごとクランプ刃によって挟持して剥がすものである。
【先行技術文献】
【特許文献】
【０００４】
【特許文献１】特許第６１０８２５５号公報
【発明の概要】
【発明が解決しようとする課題】
【０００５】
タイルの上下の目地に溝を形成する際には、手持ち式の電動切断工具を用いて目地を切削するのが一般的であるが、このとき以下のような問題が生じる。
（１）溝を形成する際に、タイルも同時に切削し、タイルを破損してしまうおそれがある。
（２）手持ち式の電動切断工具で目地をまっすぐに切削する必要があるため、作業員の負担が大きい。
（３）剥離するタイルの上下に溝を形成するため、作業回数が多く、それだけ施工ミスも多くなる。
（４）電動切断工具の刃を目地に合わせるために目視する必要があり、目地の切削により飛散した切り粉や欠けた刃が目に入る危険がある。
【０００６】
本発明は、タイルを破損することなく容易に目地に溝を形成することができる、カッター用定規およびタイル目地カッターを提供することを目的とする。
【課題を解決するための手段】
【０００７】
上記目的を達成するためになされた本願の第１発明は、タイル貼付面に固定する固定部と、前記固定部に取り付ける定規部と、からなり、前記固定部は、固定部本体と、前記固定部本体の一方の端部に設ける固定刃と、前記固定刃と対向する移動刃を有し、前記固定部本体の内側に配置する挟持体と、を有し、前記固定刃と前記移動刃は略平行であり、前記移動刃を有する前記挟持体が移動し、前記固定刃と前記移動刃との間隔を調整可能であることを特徴とする、カッター用定規を提供する。
本願の第２発明は、第１発明のカッター用定規において、前記固定部本体に取り付けるとともに、前記挟持体に螺合する回動ボルトを有し、前記回動ボルトを回動することによって、前記移動刃を有する前記挟持体が移動することを特徴とする、カッター用定規を提供する。
本願の第３発明は、第１発明又は第２発明のカッター用定規において、前記挟持体はブロック状であり、前記固定部は、前記固定部本体の一方の端部から他方の端部にかけて配置し、前記挟持体に挿通する支柱を有することを特徴とする、カッター用定規を提供する。
本願の第４発明は、第１発明乃至第３発明のカッター用定規において、前記固定部本体は、前記定規部に形成した長孔状のボルト孔に挿通する固定ボルトを介して前記定規部に固定することを特徴とする、カッター用定規を提供する。
本願の第５発明は、貼付されたタイルの目地に溝を設けるためのタイル目地カッターであって、本体と、前記本体に付設可能なカッターと、からなり、前記本体は、第１発明乃至第４発明のいずれかのカッター用定規と、前記カッター用定規に対して平行移動可能に取り付ける平行移動部と、前記平行移動部に前記カッターを付設するためのスライド部と、を有することを特徴とする、タイル目地カッターを提供する。
本願の第６発明は、第５発明のタイル目地カッターにおいて、前記スライド部は、前記カッターを固定するカッター取付部を有し、前記カッター取付部は、前記タイルの貼付面方向に移動可能に構成することを特徴とする、タイル目地カッターを提供する。
本願の第７発明は、第５発明又は第６発明のタイル目地カッターにおいて、前記スライド部は、前記平行移動部の一辺の側に前記カッターを付設するための第一スライド部と、前記平行移動部の他辺の側に前記カッターを付設するための第二スライド部と、からなることを特徴とする、タイル目地カッターを提供する。
本願の第８発明は、第５発明乃至第７発明のいずれかのタイル目地カッターにおいて、前記カッターは、回転刃を有するカッター本体と、前記回転刃の、前記カッター本体側の上面と前記カッター本体の側面と、を覆う取付治具と、前記取付治具の先端に取り付けて、前記回転刃の先端上面と先端側面と、を覆う先端カバーと、からなり、前記先端カバーは、前記取付治具に対して移動可能に構成することを特徴とする、タイル目地カッターを提供する。
【発明の効果】
【０００８】
本発明は、上記した課題を解決するための手段により、次のような効果の少なくとも一つを得ることができる。
（１）壁面に固定したカッター用定規に沿ってカッターを動かすことにより、誰でも容易に水平な横溝を形成することができる。
（２）予め位置決めして固定した本体にカッターを付設して溝を形成するため、溝の形成位置が容易に決められ、タイルを破損することがない。
（３）カッターを取り付けた平行移動部が平行移動するため、容易に均一な横溝を形成することができる。
（４）カッターを平行移動部ごと平行移動するだけであり、作業員の負担がなく、誰でも行うことができる。
（５）カッターの回転刃が取付治具と先端カバーで覆われているため、溝形成時に生じる粉塵が広がることがない。
（６）カッターの回転刃が取付治具と先端カバーで覆われており、切り粉や欠けた刃が飛散して目に入る危険がなく、安全性が高い。
【図面の簡単な説明】
【０００９】
【図１】タイル目地カッターの説明図
【図２】固定部の壁面への固定方法の説明図
【図３】固定部を壁面に固定した状態の説明図
【図４】カッター用定規の構成の説明図
【図５】固定部の定規部への固定状態の説明図
【図６】カッター用定規と平行移動部の説明図
【図７】平行移動部と、第一スライド部、第二スライド部の説明図
【図８】第一スライド部とカッターの平面図
【図９】カッターとカッター用定規の側面図（１）
【図１０】横溝の形成方法の説明図
【図１１】カッターとカッター用定規の側面図（２）
【図１２】下側に横溝を形成するときのカッターとカッター用定規の側面図
【図１３】その他の実施例にかかるカッター用定規の構成の説明図
【図１４】その他の実施例にかかるカッターとカッター用定規の側面図
【発明を実施するための形態】
【００１０】
以下、図面を参照しながら本発明の実施の形態について説明する。
【００１１】
［１］タイル目地カッター
＜１＞全体構成
本発明のタイル目地カッターは、タイルの貼付された壁面に固定して、タイルの上下の目地に横溝を形成するためのものである。
タイル目地カッターは、鋼製の本体１と、本体１に付設可能なカッター２と、からなる（図１）。
【００１２】
＜２＞本体
本体１は、壁面に固定するカッター用定規３、カッター用定規３に平行移動可能に取り付ける平行移動部４、および、平行移動部４の上面に取り付ける第一スライド部５からなる。
【００１３】
＜３＞カッター
カッター２は、壁面に横溝を形成するために水平に取り付けた回転刃２１１を有するカッター本体２１と、カッター２を本体１に取り付けるための取付治具２２と、回転刃２１１の先端をカバーする先端カバー２３と、からなる。
カッター本体２１は、回転刃２１１を回転するモーターを有しており、手元のスイッチ等により回転刃２１１を回転駆動する。
カッター２は、本体１の第一スライド部５に付設して使用する。
【００１４】
＜３．１＞取付治具
カッター２の取付治具２２はカッター本体２１に取り付けた断面視コ字状の部材であり、回転刃２１１の、カッター本体２１側の上面と側面を覆うように構成する。ただし、回転刃２１１の先端は、形成する横溝の深さと略同じ長さが取付治具２２から突出するようにする。
取付治具２２には、先端カバー２３を支持するための先端カバー支持ブロック２２１を設ける。
【００１５】
＜３．２＞先端カバー
取付治具２２の先端には、取付治具２２と同様の断面視コ字状の先端カバー２３を取り付け、突出する回転刃２１１の先端部分を覆う。
回転刃２１１を取付治具２２と先端カバー２３で覆うことにより、安全にカッター２を持ち運ぶことができる。
先端カバー２３は、略コ字状の刃カバー２３１と、刃カバー２３１の先端から上方に立設する当接部２３２と、当接部２３２の両側端付近から取付治具２２側に立設するカバー支柱２３３と、を有する。
カバー支柱２３３は取付治具２２に設けた先端カバー支持ブロック２２１に挿通し、先端カバー支持ブロック２２１と当接部２３２との間には弾性体２３４を外挿する。
【００１６】
＜４＞カッター用定規
本体１のカッター用定規３は、壁面に固定する固定部３１と、固定部３１と平行移動部４とを連結する定規部３２と、からなる。
【００１７】
＜４．１＞固定部
固定部３１は、固定部本体３１１と、固定部本体３１１の一方の側端部に取り付けた固定刃３１２、水平に配置する支柱３１３、支柱３１３を挿通し、支柱３１３に沿って移動可能なブロック状の挟持体３１４、固定刃３１２に対向するように挟持体３１４に取り付ける移動刃３１５、および、固定部本体３１１の他方の端部に回動自在に取り付けて挟持体３１４に形成した螺子孔に螺合する回動ボルト３１６、を有する（図１、図２（ｂ））。
固定刃３１２と移動刃３１５は支柱３１３の軸方向と直交する方向に略平行に配置する。
固定刃３１２と移動刃３１５は薄い金属板であり、所定の弾性を有する。
固定刃３１２は固定部本体３１１と一体に形成してもよいし、移動刃３１５は挟持体３１４と一体に形成してもよい。
【００１８】
＜４．１．１＞固定部の固定
固定部３１は、まずタイルＴの両側の目地Ｊに縦方向に先行溝Ｇ１を形成し（図２（ａ））、それぞれの先行溝Ｇ１に、対向する固定刃３１２および移動刃３１５を挿入した後、回動ボルト３１６を回動する。
回動ボルト３１６は固定部本体３１１に回動自在に取り付けてあるため、回動ボルト３１６を回動すると、回動ボルト３１６に螺合した挟持体３１４が固定部本体３１１に対して、回動ボルト３１６に沿って移動する。
こうして、挟持体３１４を固定刃３１２側に動かして固定刃３１２と移動刃３１５の間隔を狭めてゆき、固定刃３１２と移動刃３１５によってタイルＴと目地Ｊを挟み込むことにより固定部３１を壁面Ｗに固定する（図２（ｂ）、図３）。
先行溝Ｇ１はタイルＴの両側に一般的な電動切断工具により形成するが、タイルＴの縦方向の長さよりも短くてよく、タイルＴが馬張りの場合でも上下のタイルＴを傷つけることなく、容易に形成することができる。
また、固定刃３１と移動刃３１５は薄い金属板であるため弾性を有しており、対向する先行溝Ｇ１が平行でない場合でも、固定刃３１２又は移動刃３１５が弾性変形し、タイルＴと目地Ｊを挟み込むことができる。
固定部３１を壁面Ｗに固定することで、本体１を壁面Ｗに固定する。
なお、固定部３１は、支柱３１３を有さない構成とすることもできる（図４）。このとき、挟持体３１４はブロック状でなくてもよい。
また、挟持体３１４は回動ボルト３１６に螺合する場合に限らず、固定部本体３１１に対して移動及び固定ができる形態であればよい。
【００１９】
＜４．２＞定規部
固定部３１は固定ボルト３１７を介して定規部３２に固定する（図１、図５）。
このとき、固定ボルト３１７を挿通する定規部３２側のボルト孔３２１を縦方向の長孔にすることにより、固定部３１と定規部３２のタイルＴ（壁面Ｗ）に対する高さや、高さ方向の角度を相対的に変えることができる（図５）。
定規部３２は、定規固定ボルト３３を介して、平行移動部４に固定する（図１、図６）。
【００２０】
＜５＞平行移動部
平行移動部４は、水平に配置する水平支柱４１と、水平支柱４１を挿通し、水平支柱４１に沿って移動可能な水平移動ブロック４２、とを有する（図１）。
水平移動ブロック４２には定規部３２を固定しており、カッター用定規３を壁面Ｗに固定した状態で、水平支柱４１を取り付けた平行移動部４を壁面Ｗに沿って平行移動することができる（図６）。
平行移動部４の上面には、第一スライド部５を取り付ける（図７）。
平行移動部４の上面の両側には、第一スライド部５を支持する第一スライド部支持ブロック４３を設ける。
平行移動部４の下面には、第一スライド部５と対称となる第二スライド部６を取り付けてもよい。このとき、平行移動部４の下面の両側には、第二スライド部６を支持する第二スライド部支持ブロック４４を設ける。
【００２１】
＜６＞第一スライド部
第一スライド部５は、平行移動部４の上面に設ける部材であり、カッター２を固定する第一カッター取付部５１と、両側に前後方向（本体１から壁Ｗの方向を「前」とし、壁Ｗから離れる方向を「後」とする）に取り付ける第一前後支柱５２を有する（図７、図８）。
第一カッター取付部５１には、カッター２を固定するカッター固定ボルト５１１を設ける。
第一前後支柱５２は、平行移動部４の第一スライド部支持ブロック４３に挿通する。これにより、第一スライド部５は、カッター２を取り付けた状態で、第一前後支柱５２がガイドとなり平行移動部４に対して前後方向に移動可能となる（図８（ａ）、図８（ｂ））。
【００２２】
＜７＞第二スライド部
第二スライド部６は、第一スライド部５と平行移動部４を挟んで上下対称に、平行移動部４の下面に設ける部材であり、カッター２を固定する第二カッター取付部６１と、両側に前後方向に取り付ける第二前後支柱６２を有する（図７、図８）。
第二カッター取付部６１には、カッター２を固定するカッター固定ボルト６１１を設ける。
第二前後支柱６２は、平行移動部４の第二スライド部支持ブロック４４に挿通する。これにより、第二スライド部６は、カッター２を取り付けた状態で、第二前後支柱６２がガイドとなり平行移動部４に対して前後方向に移動可能となる（図８（ａ）、図８（ｂ））。
【００２３】
＜８＞横溝の形成方法
＜８．１＞カッターの前方へのスライド
まず、タイルＴの両側の目地Ｊに縦方向に先行溝Ｇ１を形成し、壁面Ｗに本体１のカッター用定規３を固定する。このとき、定規部３２の前端の上下の間隔がタイルＴの高さと同一としておくと、上下端をそれぞれタイルＴの上下に合わせた状態で固定することができ、位置決めが容易である（図９（ａ））。タイルＴが傾斜している場合には、上述のように固定ボルト３１７によって、固定部３１と定規部３２の相対的な高さや角度を調整する。
そして、カッター２を第一スライド部５に付設してカッター固定ボルト５１１により固定した後、第一スライド部５を前方にスライドして、カッター２の先端の当接部２３２を壁面Ｗに当接する。回転刃２１１の先端が当接部２３２より突出している場合、突出部分がタイルＴの目地Ｊ部分に入り込む（図８（ｂ）、図９（ｂ））。
【００２４】
＜８．２＞回転刃の押し込み
カッター２の当接部２３２を当接した状態から、回転刃２１１を回転駆動させながらさらに第一スライド部５を前方にスライドすると、回転刃２１１が目地Ｊを切削する（図１０（ａ）、図１１（ａ））。このとき、カッター２の先端カバー２３は、先端カバー支持ブロック２２１に挿通したカバー支柱２３３がガイドとなり、取付治具２２側に平行移動して押し込まれる。
カッター２は取付治具２２が定規部３２に当接する位置まで押し込むことができる。
先端カバー２３は、先端カバー支持ブロック２２１から反力を取った弾性体２３４により壁面Ｗに当接部２３２が常に押し付けられ、回転刃２１１による切削部分は常に先端カバー２３で覆われており、横溝Ｇ２形成時に生じる粉塵が広がることがなく、また、切り粉や欠けた刃が飛散して目に入る危険がなく、安全性が高い。
【００２５】
＜８．３＞横溝の形成
カッター２を壁面Ｗに押し込んだ状態で、カッター２を平行移動部４ごと水平に移動すると、カッター２の回転刃２１１により横溝Ｇ２が形成される（図１０（ｂ））。
このときも回転刃２１１による切削部分は常に先端カバー２３で覆われており、粉塵が広がることがなく、また、切り粉や欠けた刃が飛散して目に入る危険がなく、安全性が高い。
カッター２を付設した平行移動部４はカッター用定規３に対して平行に移動するが、カッター用定規３はタイルＴに合わせて位置決めされており、カッター２の回転刃２１１は目地Ｊ内を水平に移動し、タイルＴを破損するおそれがない。
また、平行移動部４が移動する長さをあらかじめ決めておくことにより、誰でも均一な長さの横溝Ｇ２を形成することができる。
【００２６】
＜８．４＞下側の横溝の形成
上側の横溝Ｇ２を形成した後、カッター２を第一スライド部５から取り外し（図１１（ｂ））、第二スライド部６に取り付けて、上記と同様の過程を行い、下側の横溝Ｇ２を形成する（図１２（ａ）、（ｂ））。
カッター用定規３を一度壁面Ｗに固定するだけで、タイルＴの上下の横溝Ｇ２を形成することができる。
本体１に固定したカッター２を押し込んで水平に移動するだけで横溝Ｇ２を形成することができるため、作業員の負担がなく、誰でも行うことができ、施工ミスも起きない。
【００２７】
［その他の実施例］
＜１＞カッター用定規のみを用いた施工
カッター用定規３は、上側のみに定規部３２を有する形態とすることもできる（図１３）。
また、カッター用定規３のみを壁面Ｗに固定し（図１４（ａ））、定規部３２に沿ってカッター２を押し込みながら水平に移動して横溝Ｇ２を形成することもできる（図１４（ｂ）。
【００２８】
上述の実施例においては水平方向に横溝Ｇ２を形成したが、カッター用定規３の取り付け角度を変えるだけで、縦方向や傾斜した目地Ｊにおいても溝を形成することもできる。
また、タイルＴが壁面Ｗに貼付されている場合に限らず、床面や天井面等、あらゆる面に対応することができる。
【符号の説明】
【００２９】
１…本体
２…カッター、２１…カッター本体、２１１…回転刃、２２…取付治具、２２１…先端カバー支持ブロック、２３…先端カバー、２３１…刃カバー、２３２…当接部、２３３…カバー支柱、２３４…弾性体
３…カッター用定規、３１…固定部、３１１…固定部本体、３１２…固定刃、３１３…支柱、３１４…挟持体、３１５…移動刃、３１６…回動ボルト、３１７…固定ボルト、３２…定規部、３２１…ボルト孔、３３…定規固定ボルト
４…平行移動部、４１…水平支柱、４２…水平移動ブロック、４３…第一スライド部支持ブロック、４４…第二スライド部支持ブロック
５…第一スライド部、５１…第一カッター取付部、５１１…カッター固定ボルト、５２…第一前後支柱
６…第二スライド部、６１…第二カッター取付部、６１１…カッター固定ボルト、６２…第二前後支柱
【図１】
2019100043.tif 000003
【図２】
2019100043.tif 000004
【図３】
2019100043.tif 000005
【図４】
2019100043.tif 000006
【図５】
2019100043.tif 000007
【図６】
2019100043.tif 000008
【図７】
2019100043.tif 000009
【図８】
2019100043.tif 000010
【図９】
2019100043.tif 000011
【図１０】
2019100043.tif 000012
【図１１】
2019100043.tif 000013
【図１２】
2019100043.tif 000014
【図１３】
2019100043.tif 000015
【図１４】
2019100043.tif 000016